(57)【要約】【課題】携帯電話機で会話をしている場合に、両手は自由に使えて、しかも自由に移動できる携帯電話機用の保持具を提供すること。【解決手段】略カチューシャ状のホルダーバンド１０の両側にパッド１１、１２を設けたホルダーバンド本体２と、このホルダーバンド本体２のパッド１１側に角度調整機構を兼ねたネジ３０にて装着される保持具本体３とで保持具１を構成している。保持具本体３は、ケース状の収容部２０と、この収容部２０の上側に一体に形成した接続片２１とで構成されている。収容部２０の下部は閉塞されており、この収容部２０の携帯電話機４０の操作部４１を挿入し、携帯電話機４０の表示部４２は接続片２１側に位置する。保持具本体３に携帯電話機４０を出し入れ自在に保持した状態で保持具１を頭に保持し、その状態で電話をする。これにより、両手は完全に自由となり、通話中での移動もできる。【選択図】図１
2014187454.tif 000002
【特許請求の範囲】
【請求項１】
一方の端部が一方の耳側に位置し、他方の端部が他方の耳側に位置する略カチューシャ状のホルダーバンド（１０）を形成し、
前記ホルダーバンド（１０）のいずれかの端部側に携帯電話機（４０）を出し入れ自在に保持する保持部を設けていることを特徴とする携帯電話機用の保持具。
【請求項２】
前記保持部は、
下部を除いて前面の上部と上面とが開口し、前記携帯電話機（４０）を出し入れ自在に保持する収容部（２０）と、
前記収容部（２０）の上部より一体的に延出形成された接続片（２１）と
で構成され、
前記接続片（２１）が前記ホルダーバンド（１０）の端部に取り付けられていることを特徴とする請求項１に記載の携帯電話機用の保持具。
【請求項３】
前記保持部の収容部（２０）と接続片（２１）との境で略く字型に折曲形成されており、該保持部にて折り畳み式の携帯電話機（４０）を保持するようにしていることを特徴とする請求項１または請求項２に記載の携帯電話機用の保持具。
【請求項４】
前記保持部の収容部（２０）と接続片（２１）との境をヒンジ部（４８）として収容部（２０）を接続片（２１）側に折り畳み可能としていることを特徴とする請求項３に記載の携帯電話機用の保持具。
【請求項５】
前記保持部の接続片（２１）は、前記収容部（２０）と同一平面状に延出形成されており、該保持部にてスマートフォンタイプの携帯電話機（４０）を保持するようにしていることを特徴とする請求項１または請求項２に記載の携帯電話機用の保持具。
【請求項６】
前記保持部の収容部（２０）の下部の前板（２４）を開閉可能としていることを特徴とする請求項２〜請求項５のいずれかに記載の携帯電話機用の保持具。
【請求項７】
前記保持部の収容部（２０）には前記携帯電話機（４０）を指を挿入して、該携帯電話機（４０）の取り出しを補助するための穴（２６）を穿孔していることを特徴とする請求項２〜請求項５のいずれかに記載の携帯電話機用の保持具。
【請求項８】
前記保持部は、前記ホルダーバンド（１０）に対して斜めに傾斜させて保持する角度調整機構を備えていることを特徴とする請求項１〜請求項７のいずれかに記載の携帯電話機用の保持具。
【請求項９】
前記保持部と前記ホルダーバンド（１０）とは、ネジ（３０）と、該ネジ（３０）と螺着するツマミ（３３）とで取り付けられ、
前記ネジ（３０）と前記ツマミ（３３）とを緩めることで、前記保持部を前記ホルダーバンド（１０）に対して斜めに傾斜させて保持するものであり、
前記ネジ（３０）と前記ツマミ（３３）とで前記角度調整機構を構成していることを特徴とする請求項８に記載の携帯電話機用の保持具。
【請求項１０】
前記ホルダーバンド（１０）の一方の端部の内面に第１の面ファスナー（６１）を貼着し、前記保持部の上部の外面に第２の面ファスナー（６２）を貼着し、
前記ホルダーバンド（１０）の第１の面ファスナー（６１）に、前記保持部の第２の面ファスナー（６２）を貼着し、前記保持部を前記ホルダーバンド（１０）に対して斜めに傾斜させて保持するものであり、
前記第１の面ファスナー（６１）と前記第２の面ファスナー（６２）とで前記角度調整機構を構成していることを特徴とする請求項８に記載の携帯電話機用の保持具。
【発明の詳細な説明】
【技術分野】
【０００１】
本発明は、携帯電話機を出し入れ自在に保持する携帯電話機用の保持具に関するものである。
【背景技術】
【０００２】
道路交通法では、運転中の携帯電話の操作が禁止されている。そのため、運転中に携帯電話を操作しなくても会話ができるようにした製品が提供されている。この種の携帯電話機用の保持具は、運転席の近傍のインストルメントパネルに保持具を両面テープなどで貼着しておき、この保持具に携帯電話機を保持して、両手はハンドルを持って運転しながら会話を行なうものである。
【０００３】
この種の携帯電話機用の保持具としては、例えば、下記に示す特許文献１が挙げられる。
【先行技術文献】
【特許文献】
【０００４】
【特許文献１】特開２００３−２３２３０９号公報（特許第４１０８９８７号）
【０００５】
上記特許文献１は、略コ字型に形成されていて、中央部分に対して両側から付勢部材がバネにより付勢されている。そして、両側の付勢部材は幅方向に移動可能で、両側の付勢部材により携帯電話機を付勢して脱落しないように保持している。
また、この保持具は、背面の両面テープにて運転席の近傍に貼着して使用するようになっている。
【発明の概要】
【発明が解決しようとする課題】
【０００６】
しかしながら、上記特許文献１では、複雑な構成で、多くの部材からなり、そのため、製造工程が煩雑でコストも高くなるという問題がある。
【０００７】
また、車内で使用する場合は、運転席に座った状態で使用するために、車内での使用自体は問題はない。しかしながら、自宅内で使用する場合を考えると、例えば、常に使用しているテーブルや、書斎の机などにこの種の保持具を貼着して使用することも考えられる。
【０００８】
かかる場合、携帯電話での会話中は、保持具を貼着している場所から離れることができず、特に、長時間話している場合は、両手はあいて自由に使えるものの、保持具を貼着している場所から離れることができないという問題を有している。
【０００９】
本発明は上述の問題点に鑑みて提供したものであって、携帯電話機で会話をしている場合に、両手は自由に使えて、しかも自由に移動できる携帯電話機用の保持具を提供することを目的としているものである。
【課題を解決するための手段】
【００１０】
そこで、本発明の請求項１に記載の携帯電話機用の保持具では、一方の端部が一方の耳側に位置し、他方の端部が他方の耳側に位置する略カチューシャ状のホルダーバンド１０を形成し、
前記ホルダーバンド１０のいずれかの端部側に携帯電話機４０を出し入れ自在に保持する保持部を設けていることを特徴としている。
【００１１】
請求項２に記載の携帯電話機用の保持具では、前記保持部は、
下部を除いて前面の上部と上面とが開口し、前記携帯電話機４０を出し入れ自在に保持する収容部２０と、
前記収容部２０の上部より一体的に延出形成された接続片２１と
で構成され、
前記接続片２１が前記ホルダーバンド１０の端部に取り付けられていることを特徴としている。
【００１２】
請求項３に記載の携帯電話機用の保持具では、前記保持部の収容部２０と接続片２１との境で略く字型に折曲形成されており、該保持部にて折り畳み式の携帯電話機４０を保持するようにしていることを特徴としている。
【００１３】
請求項４に記載の携帯電話機用の保持具では、前記保持部の収容部２０と接続片２１との境をヒンジ部４８として収容部２０を接続片２１側に折り畳み可能としていることを特徴としている。
【００１４】
請求項５に記載の携帯電話機用の保持具では、前記保持部の接続片２１は、前記収容部２０と同一平面状に延出形成されており、該保持部にてスマートフォンタイプの携帯電話機４０を保持するようにしていることを特徴としている。
【００１５】
請求項６に記載の携帯電話機用の保持具では、前記保持部の収容部２０の下部の前板２４を開閉可能としていることを特徴としている。
【００１６】
請求項７に記載の携帯電話機用の保持具では、前記保持部の収容部２０には前記携帯電話機４０を指を挿入して、該携帯電話機４０の取り出しを補助するための穴２６を穿孔していることを特徴としている。
【００１７】
請求項８に記載の携帯電話機用の保持具では、前記保持部は、前記ホルダーバンド１０に対して斜めに傾斜させて保持する角度調整機構を備えていることを特徴としている。
【００１８】
請求項９に記載の携帯電話機用の保持具では、前記保持部と前記ホルダーバンド１０とは、ネジ３０と、該ネジ３０と螺着するツマミ３３とで取り付けられ、
前記ネジ３０と前記ツマミ３３とを緩めることで、前記保持部を前記ホルダーバンド１０に対して斜めに傾斜させて保持するものであり、
前記ネジ３０と前記ツマミ３３とで前記角度調整機構を構成していることを特徴としている。
【００１９】
請求項１０に記載の携帯電話機用の保持具では、前記ホルダーバンド１０の一方の端部の内面に第１の面ファスナー６１を貼着し、前記保持部の上部の外面に第２の面ファスナー６２を貼着し、
前記ホルダーバンド１０の第１の面ファスナー６１に、前記保持部の第２の面ファスナー６２を貼着し、前記保持部を前記ホルダーバンド１０に対して斜めに傾斜させて保持するものであり、
前記第１の面ファスナー６１と前記第２の面ファスナー６２とで前記角度調整機構を構成していることを特徴としている。
【発明の効果】
【００２０】
本発明の請求項１に記載の携帯電話機用の保持具によれば、一方の端部が一方の耳側に位置し、他方の端部が他方の耳側に位置する略カチューシャ状のホルダーバンド１０を形成し、前記ホルダーバンド１０のいずれかの端部側に携帯電話機４０を出し入れ自在に保持する保持部を設けているので、両手が完全にあき、両手を自由にすることができ、他の仕事や用事を行なうことができる。また、現在、同じ携帯電話会社同士であれば、通話が無料であるので、どうしても長電話になってしまう。しかし、長時間の通話をしていても、携帯電話機４０を保持している保持具１は、机やテーブルなどに固定されているのではなく、頭に保持している保持具１に携帯電話機４０を保持しているので、電話をしながら自由に移動ないし行動することができる。すなわち、体を動かしながら電話をすることができるので、頗る使い勝手が良い。
また、今までのように、片手で携帯電話機４０を持ちながら電話をしていると、携帯電話機４０を持っている手が疲れてくるが、本実施形態では保持具１に携帯電話機４０を保持させているので、手が疲れてくるということもない。
【００２１】
請求項２に記載の携帯電話機用の保持具によれば、前記保持部は、下部を除いて前面の上部と上面とが開口し、前記携帯電話機４０を出し入れ自在に保持する収容部２０と、前記収容部２０の上部より一体的に延出形成された接続片２１とで構成されているものであり、そのため、簡単な構造にて保持具本体３を形成でき、しかも保持具本体３をホルダーバンド１０の端部に取り付けることで、保持具１を構成でき、保持具１自体の構造も簡単にでき、保持具１を安価にすることができる。
【００２２】
請求項３に記載の携帯電話機用の保持具によれば、前記保持部の収容部２０と接続片２１との境で略く字型に折曲形成されており、該保持部にて折り畳み式の携帯電話機４０を保持するようにしているので、折り畳み式の携帯電話機４０に好適例な保持具本体３を提供することができる。
【００２３】
請求項４に記載の携帯電話機用の保持具によれば、前記保持部の収容部２０と接続片２１との境をヒンジ部４８として収容部２０を接続片２１側に折り畳み可能としていることで、保持具本体３自体を折り畳むことができる。そのため、保持具１を収納する場合には、保持具１全体が小さくなって、収納スペースを小さくでき、大きな収納スペースを不要とすることができる。
【００２４】
請求項５に記載の携帯電話機用の保持具によれば、前記保持部の接続片２１は、前記収容部２０と同一平面状に延出形成されており、該保持部にてスマートフォンタイプの携帯電話機４０を保持するようにしているので、スマートフォンタイプの携帯電話機４０に好適例な保持具本体３を提供することができる。
【００２５】
請求項６に記載の携帯電話機用の保持具によれば、前記保持部の収容部２０の下部の前板２４を開閉可能としているので、前板２４を開けると収容部２０の開口面積が大きくなり、収容部２０からの携帯電話機４０の取り出しを一層容易にすることができる。
【００２６】
請求項７に記載の携帯電話機用の保持具によれば、前記保持部の収容部２０には前記携帯電話機４０を指を挿入して、該携帯電話機４０の取り出しを補助するための穴２６を穿孔していることで、収容部２０の穴２６に指を外側から挿入して、携帯電話機４０を起こして取り出すものであり、この場合、携帯電話機４０が少し持ち上がるので、携帯電話機４０を掴み易くなり、一層容易に携帯電話機４０を取り出すことができる。
【００２７】
請求項８に記載の携帯電話機用の保持具によれば、前記保持部は、前記ホルダーバンド１０に対して斜めに傾斜させて保持する角度調整機構を備えているので、保持部である保持具本体３にて保持した携帯電話機４０のマイクの位置を口の方に近づけさせることができる。そのため、音声が明瞭にマイクに伝達され、通話品質を劣化させることはない。
【００２８】
請求項９に記載の携帯電話機用の保持具によれば、前記保持部と前記ホルダーバンド１０とは、ネジ３０と、該ネジ３０と螺着するツマミ３３とで取り付けられ、前記ネジ３０と前記ツマミ３３とを緩めることで、前記保持部を前記ホルダーバンド１０に対して斜めに傾斜させて保持するようにしているので、保持部をホルダーバンド１０に取り付けるネジ３０とツマミ３３を利用して保持部をホルダーバンド１０に対して斜めに傾斜させて保持しているものであり、そのため、部品点数を増加させることなく、角度調整機構を構成でき、コストも上昇させることがない。
【００２９】
請求項１０に記載の携帯電話機用の保持具によれば、ホルダーバンド１０の一方の端部の内面に第１の面ファスナー６１を貼着し、前記保持部の上部の外面に第２の面ファスナー６２を貼着し、前記ホルダーバンド１０の第１の面ファスナー６１に、前記保持部の第２の面ファスナー６２を貼着し、前記保持部を前記ホルダーバンド１０に対して斜めに傾斜させて保持するようにしているので、面ファスナー６１、６２という安価な部材にて角度調整機構を構成することができる。
【図面の簡単な説明】
【００３０】
【図１】本発明の実施の形態における保持具の斜視図である。
【図２】本発明の実施の形態における保持具の要部側面図である。
【図３】本発明の実施の形態におけるホルダーバンド本体と保持具本体との分解図である。
【図４】本発明の実施の形態における保持具本体をホルダーバンド本体に対して回動可能とした説明図である。
【図５】本発明の実施の形態における保持具の正面図である。
【図６】本発明の実施の形態における保持具本体に携帯電話機を収容する場合の説明図である。
【図７】本発明の実施の形態における保持具本体に携帯電話機を収容した場合の説明図である。
【図８】本発明の実施の形態における保持具本体に携帯電話機を収容して電話をしている状態を示す図である。
【図９】本発明の実施の形態における収容部の前板を開閉可能とした場合の保持具の斜視図である。
【図１０】本発明の実施の形態における収容部の前板を開閉可能とした場合の保持具の側面図である。
【図１１】本発明の実施の形態における保持具本体を折り畳み可能とした場合の保持具の正面図である。
【図１２】本発明の実施の形態における保持具本体を折り畳んだ場合の保持具の正面図である。
【図１３】本発明の実施の形態におけるスマートフォンタイプの携帯電話機を収容する場合の保持具本体の斜視図である。
【図１４】本発明の実施の形態におけるスマートフォンタイプの携帯電話機を収容する場合の保持具の正面図である。
【図１５】本発明の実施の形態におけるスマートフォンタイプの携帯電話機を収容部に収容した場合の保持具の正面図である。
【図１６】本発明の実施の形態における収容部の他の実施形態の斜視図である。
【図１７】本発明の実施の形態における収容部の他の実施形態の正面図である。
【図１８】本発明の実施の形態における収容部の他の実施形態の説明図である。
【図１９】本発明の実施の形態における収容部の他の実施形態の説明図である。
【図２０】本発明の実施の形態における収容部の他の実施形態の背面図である。
【図２１】本発明の実施の形態における他の実施形態の収容部を接続片に貼着した場合の正面図である。
【図２２】本発明の実施の形態における他の実施形態の収容部に携帯電話機を保持している状態を示す正面図である。
【図２３】本発明の実施の形態における他の実施形態の収容部に携帯電話機を保持している状態を示す側面図である。
【図２４】本発明の実施の形態における角度調整機構の他の例を示す図である。
【図２５】本発明の実施の形態における角度調整機構の他の例を示す説明図である。
【図２６】本発明の実施の形態における角度調整機構の更に他の例を示す説明図である。
【図２７】本発明の実施の形態における角度調整機構の更に他の例の円板の正面図である。
【図２８】本発明の実施の形態における角度調整機構の更に他の例の保持具本体の背面図である。
【図２９】本発明の実施の形態における角度調整機構の更に他の例の説明図である。
【発明を実施するための形態】
【００３１】
以下、本発明の実施の形態を図面を参照して詳細に説明する。図１は本発明の携帯電話機用の保持具１の斜視図を示し、この頭に載せる保持具１は、略逆Ｕ字状のホルダーバンド本体２と、このホルダーバンド本体２の一方の端部に装着されている保持具本体３とで構成されている。
【００３２】
上記ホルダーバンド本体２は、略カチューシャ状のホルダーバンド１０と、このホルダーバンド１０の一方の端部に設けられている第１パッド１１と、ホルダーバンド１０の他方の端部に設けられている第２パッド１２とで構成されている。
【００３３】
ホルダーバンド本体２のホルダーバンド１０は、板状で金属製あるいは合成樹脂製で形成されており、ホルダーバンド本体２を頭に載せた場合には、頭に保持されるためにホルダーバンド本体２自体は内側に弾性付勢されている。また、頭の大きさに合うように、ホルダーバンド本体２のホルダーバンド１０は、第１パッド１１に対して周方向に伸縮自在となっている。ホルダーバンド本体２を頭に載せた場合には、第１パッド１１が一方の耳付近に位置し、第２パッド１２が他方の耳付近に位置する。
【００３４】
携帯電話機を内部に収容する保持具本体３は、所謂ケース状となっていて、材料としては、アルミ材あるいは合成樹脂製としているが、軽量化を図る観点からは合成樹脂製の方が好適例である。
図１に示す保持具本体３は、折り畳み式の携帯電話機を出し入れ自在に保持するものであり、携帯電話機のテンキーやマイクなどが配置されている操作部を収容する収容部２０と、この収容部２０の上縁より一体に延出形成された平板状の接続片２１とで構成されている。
【００３５】
保持具本体３の収容部２０の正面板２５の両側には側板２２がそれぞれ一体に立設されていて、また、収容部２０の下部は携帯電話機が脱落しないように閉塞されている。すなわち、底板２３から側板２２の下部にかけて前板２４が一体に設けられている。また、収容部２０の正面板２５には、指を外側から挿入して携帯電話機を取り易くしている穴２６が開口してある。
【００３６】
保持具本体３の接続片２１は、携帯電話機の表示部が位置するようになっており、折り畳み式の携帯電話機を開いた場合、操作部と表示部とは略く字型となっているので、その形状に合わせるように、接続片２１と収容部２０とは少し傾斜を持たせて略く字型としている。
【００３７】
図２はホルダーバンド本体２の第１パッド１１側から見た図を示しており、また図３は第１パッド１１と保持具本体３との分解図を示している。保持具本体３の接続片２１の上部にはネジ３０挿通用の穴３１が穿孔されており、また、同様にホルダーバンド本体２の第１パッド１１の略中央部分にもネジ３０挿通用の穴３２が穿孔されている。
【００３８】
上記ネジ３０と螺着するツマミ３３には、ねじ穴３４が螺刻されており、ねじ穴３４を接続片２１の穴３１と、第１パッド１１の穴３２を挿通して、ネジ３０をねじ穴３４に螺着することで、ホルダーバンド本体２と保持具本体３とが一体的に連結されて、保持具１が形成されることになる。
【００３９】
ここで、口の位置は耳より少し前方に位置しているために、携帯電話機を斜めに位置させる必要がある。また、携帯電話機を任意の角度に傾けて位置させる方が使い勝手が良い。そこで、本実施形態では、保持具本体３をホルダーバンド本体２に対して任意の角度になるように回動可能にしている。
ツマミ３３とネジ３０との螺着を緩めることで、図４に示すように、ネジ３０を軸として保持具本体３を回動させることができ、保持具本体３を任意の位置にしてツマミ３３をネジ３０を螺着させることで、保持具本体３を斜めに位置させた状態でホルダーバンド本体２に対して固定することができる。
【００４０】
ここで、ネジ３０及びツマミ３３とで角度調整機構を構成している。このように、保持具本体３は、ホルダーバンド本体２に対して斜めに傾斜させて保持する角度調整機構（ネジ３０及びツマミ３３）を備えているので、保持具本体３にて保持した携帯電話機４０のマイクの位置を口の方に近づけさせることができ、音声が明瞭にマイクに伝達され、通話品質を劣化させることはない。
【００４１】
保持部である保持具本体３をホルダーバンド本体２に取り付けるネジ３０とツマミ３３を利用して保持具本体３をホルダーバンド本体２に対して斜めに傾斜させて保持しているものであり、そのため、部品点数を増加させることなく、角度調整機構を構成でき、コストも上昇させることがない。
【００４２】
図５は保持具１の正面図を示し、図６は保持具本体３の収容部２０内に携帯電話機４０の操作部４１を挿入している状態を示している。携帯電話機４０の操作部４１を収容部２０に挿入すると、携帯電話機４０の表示部４２が保持具本体３の接続片２１に当接し、図７に示すように、携帯電話機４０を保持具本体３に出し入れ自在に保持することができる。
【００４３】
図８は携帯電話機４０を保持具本体３に保持した状態でホルダーバンド本体２を頭に載せて保持具１を頭に保持した状態を示している。この状態では、図８に示すように、携帯電話機４０の表示部４２になる小型のスピーカーは耳に位置し、また、操作部４１のマイクは口の近傍に位置させることができる。
【００４４】
頭に保持した保持具１に携帯電話機４０を保持していることで、両手が完全にあき、両手を自由にすることができ、他の仕事や用事を行なうことができる。また、現在、同じ携帯電話会社同士であれば、通話が無料であるので、どうしても長電話になってしまう。
しかし、長時間の通話をしていても、携帯電話機４０を保持している保持具１は、机やテーブルなどに固定されているのではなく、頭に保持している保持具１に携帯電話機４０を保持しているので、電話をしながら自由に移動ないし行動することができる。すなわち、体を動かしながら電話をすることができるので、頗る使い勝手が良い。
【００４５】
また、今までのように、片手で携帯電話機４０を持ちながら電話をしていると、携帯電話機４０を持っている手が疲れてくるが、本実施形態では保持具１に携帯電話機４０を保持させているので、手が疲れてくるということもない。
【００４６】
携帯電話機４０を保持具１から外す場合は、携帯電話機４０を保持具１の収容部２０から上方へ引き抜くだけで、簡単に携帯電話機４０を保持具１から取り出すことができる。
なお、保持具１の収容部２０の大きさは、一般的な折り畳み式の携帯電話機４０より大きくしているので、携帯電話機４０を簡単に取り出すことができる。また、収容部２０の穴２６に指を外側から挿入して、携帯電話機４０を起こして取り出すようにしても良い。この場合、携帯電話機４０が少し持ち上がるので、携帯電話機４０を掴み易くなり、一層容易に携帯電話機４０を取り出すことができる。
【００４７】
図９及び図１０は、保持具本体３の前板２４を開閉自在とした実施形態を示すものである。すなわち、保持具本体３の前板２４の両側にスリット４４を形成し、前板２４の下縁と底板２３とは連結し、この連結部分をヒンジ部４５とし、このヒンジ部４５を軸として開閉可能としている。
ここで、前板２４の開閉の強さであるが、携帯電話機４０を収容部２０に単に収容している状態では、前板２４は容易に開かないようにして、携帯電話機４０が収容部２０から脱落しない程度の強さとしている。また、指で前板２４を開くことができる程度の強さであり、前板２４を開けて指を離すと元の位置に復帰するようにしている。
【００４８】
このように、収容部２０の前板２４を開閉可能としていることで、携帯電話機４０を収容部２０から容易に取り出すことができる。すなわち、前板２４を開けると収容部２０の開口面積が大きくなり、収容部２０からの携帯電話機４０の取り出しを一層容易にすることができる。
【００４９】
図１１及び図１２は、保持具本体３自体を折り畳み可能とした実施形態を示している。保持具本体３の収容部２０と接続片２１との間に、側板２２と同程度の幅を有する連結片４７を一体に設け、この連結片４７と収容部２０との連結部分をヒンジ部４８とする。
このヒンジ部４８を軸として収容部２０を接続片２１側に回動させることで、図１２に示すように、保持具本体３自体を折り畳むことができる。そのため、保持具１を収納する場合には、保持具１全体が小さくなって、収納スペースを小さくでき、大きな収納スペースを不要とすることができる。
【００５０】
図１３〜図１５は、スマートフォンタイプの携帯電話機４０を出し入れ自在に保持する保持具本体３を示している。本実施形態では、スマートフォンタイプの携帯電話機４０は、折り畳み式の携帯電話機４０とは異なり偏平なので、保持具本体３自体も偏平な形状としている。保持具本体３の収容部２０の正面板２５から接続片２１を同一平面状に延出形成している。
図１に示す保持具本体３と同様の機能を有する部材には、同一の番号を付して説明は省略する。
【００５１】
図１３に示す保持具本体３の収容部２０の前板２４は、側板２２と一体となっているが、図９に示す場合と同様に開閉可能としても良い。
図１３〜図１５に示すスマートフォンタイプの保持具１の場合でも、図１に示す保持具１と同様の効果を奏するものである。
【００５２】
図１６〜図２３は、保持具１の収容部２０の他の実施形態を示すものである。この収容部２０は、ベース５１と、このベース５１の上面の一方側に固定されている左把持片５２と、ベース５１の上面の他方側に横方向にスライド自在に設けられている右把持片５３とで構成されている。上記左把持片５２及び右把持片５３はそれぞれ略コ字型に形成されている。
【００５３】
ベース５１、左把持片５２及び右把持片５３は合成樹脂製で形成されているが、左右の把持片５２、５３にて携帯電話機４０を把持するために、左右の把持片５２、５３の内側にはゴム板５４がそれぞれ貼着されている。
右把持片５３は、図１８に示すように、ベース５１の上面に形成されているガイドレール５５により横方向にスライド自在に設けられている。そして、図１９に示すように、内部で左把持片５２と右把持片５３とはコイル状のスプリング５６が懸架されており、このスプリング５６により右把持片５３が左把持片５２側に常時弾発付勢されている。
【００５４】
また、収容部２０のベース５１の裏面には図２０に示すように、両面テープ５７が貼着されており、この両面テープ５７により図２１に示すように、接続片２１に貼着して収容部２０を接続片２１に固定する。
そして、図２２及び図２３に示すように、保持具本体３の右把持片５３を開いて携帯電話機４０を位置させる。そして、右把持片５３を復帰させて左把持片５２と右把持片５３とで携帯電話機４０を出し入れ自在に保持する。
【００５５】
この実施形態においても、図１に示す保持具１の場合と同様の効果を奏するものである。
【００５６】
次に、保持具１のホルダーバンド本体２に対して任意の角度で保持具本体３を取り付ける角度調整機構について説明する。先の実施形態では、ツマミ３３とネジ３０とで保持具本体３をホルダーバンド本体２に対して任意の角度で傾斜させて取り付けるようにしていたが、図２４及び図２５に示すように、面ファスナーにより行なうようにしても良い。
【００５７】
すなわち、ホルダーバンド本体２の第１パッド１１の内面に面ファスナー６１を貼着し、保持具本体３の接続片２１の外面に上記面ファスナー６１と対となる面ファスナー６２を貼着する。そして、図２５に示すように、保持具本体３を任意の角度で傾斜させた状態で面ファスナー６１、６２を貼着する。
この実施形態では、保持具本体３をホルダーバンド本体２に対して任意の角度で傾斜させて取り付けるのに、安価な面ファスナー６１、６２により行なっているので、構造が簡単で、コストも安価にすることができる。すなわち、面ファスナー６１、６２という安価な部材にて角度調整機構を構成することができる。
【００５８】
次に、図２６〜図２９により角度調整機構の他の実施形態について説明する。本実施形態では、ホルダーバンド本体２の第１パッド１１と、保持具本体３の接続片２１との間に円板６３を設けている。
この円板６３は、図２７に示すように、中央にはネジ３０を挿通させる穴６４が穿孔されていて、また、周囲には小孔６５が所定の間隔毎に隣接して周方向に多数穿孔されている。なお、この小孔６５は、図示例では、上半分に穿孔しているが３６０度にわたって穿孔しても良く、また、保持具本体３の傾斜角度に応じて図示例より少なくしても良い。
【００５９】
また、保持具本体３の接続片２１の外面には図２８に示すように、ネジ３０を挿通させる穴６６を中心にして上記小孔６５に対応した位置に半球状の突部６７を一体に突設している。
先ず、第１パッド１１の内面に円板６３をネジ６８にて固定し、次いで保持具本体３の接続片２１の突部６７を円板６３の小孔６５に遊嵌させながら図２６に示すようにネジ３０とナット７０で螺着していき、突部６７が小孔６５より乗り越えられる程度にネジ３０をナット７０に螺着する。
【００６０】
これにより、図２９に示すように、保持具本体３をネジ３０を軸として回動させると、保持具本体３の突部６７が円板６３の小孔６５を乗り越えて隣接する小孔６５に嵌まる。したがって、保持具本体３をホルダーバンド本体２に対して任意の角度に傾斜させることができる。
【００６１】
なお、図２４では、折り畳み式の携帯電話機４０に対応した保持具本体３を示しているが、図２６に示すスマートフォンタイプの携帯電話機４０に対応した保持具本体３にも適用できる。
また、図２６ではスマートフォンタイプの携帯電話機４０に対応した保持具本体３を示しているが、図２４に示す折り畳み式の携帯電話機４０に対応した保持具本体３にも適用できるものである。
【００６２】
なお、上記各実施形態において、第１パッド１１側あるいは第２パッド１２側に、非常用の電源としてのバッテリを装着できるようにしても良い。特に、本実施形態の携帯電話機用の保持具では、長時間にわたって電話をする場合があり、そのため、非常用のバッテリを備えることで、携帯電話機４０のバッテリの電源が消耗しても、電話を続けて行なうことができる。そのため、非常用のバッテリを備えていることで、一層使い勝手が良い。
【符号の説明】
【００６３】
１  保持具
２  ホルダーバンド本体
３  保持具本体
１０  ホルダーバンド
１１  第１パッド
１２  第２パッド
２０  収容部
２１  接続片
２４  前板
３０  ネジ
３３  ツマミ
４０  携帯電話機
４８  ヒンジ部
６１  面ファスナー
６２  面ファスナー
【図１】
2014187454.tif 000003
【図２】
2014187454.tif 000004
【図３】
2014187454.tif 000005
【図４】
2014187454.tif 000006
【図５】
2014187454.tif 000007
【図６】
2014187454.tif 000008
【図７】
2014187454.tif 000009
【図８】
2014187454.tif 000010
【図９】
2014187454.tif 000011
【図１０】
2014187454.tif 000012
【図１１】
2014187454.tif 000013
【図１２】
2014187454.tif 000014
【図１３】
2014187454.tif 000015
【図１４】
2014187454.tif 000016
【図１５】
2014187454.tif 000017
【図１６】
2014187454.tif 000018
【図１７】
2014187454.tif 000019
【図１８】
2014187454.tif 000020
【図１９】
2014187454.tif 000021
【図２０】
2014187454.tif 000022
【図２１】
2014187454.tif 000023
【図２２】
2014187454.tif 000024
【図２３】
2014187454.tif 000025
【図２４】
2014187454.tif 000026
【図２５】
2014187454.tif 000027
【図２６】
2014187454.tif 000028
【図２７】
2014187454.tif 000029
【図２８】
2014187454.tif 000030
【図２９】
2014187454.tif 000031